【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
少なくとも結着樹脂、着色剤、ワックス及び有機アルミニウム化合物を含有するトナーであって、
ａ）該結着樹脂が、酸価１乃至４０ｍｇＫＯＨ／ｇを有しており、
ｂ）該結着樹脂が、結着樹脂を基準として２乃至５０質量％のテトラヒドロフラン（ＴＨＦ）不溶分を含有し、
ｃ）該結着樹脂のテトラヒドロフラン可溶分が、ゲルパーミエーションクロマトグラフィー（ＧＰＣ）測定によるクロマトグラムにおいて、分子量２０００乃至３万の領域にメインピークを有し、
ｄ）該有機アルミニウム化合物が、下記式（１）で表される未置換又は置換基を有するベンジル酸のアルミニウム化合物であることを特徴とするトナー。
【化１】
2002049177.tif 000001
（式中、Ｒ1とＲ2は同一であっても異なっていても良く、各々、直鎖または分岐したアルキル基、アルケニル基、アルコキシ基、ハロゲン原子、ニトロ基、シアノ基、アミノ基、カルボキシル基及び水酸基からなるグループより選ばれる置換基を示し、ｍ及びｎは０乃至５の整数を示す。）
【請求項２】
該結着樹脂が、ポリエステルを主成分とする樹脂であることを特徴とする請求項１に記載のトナー。
【請求項３】
該結着樹脂が、酸価２乃至４０ｍｇＫＯＨ／ｇを有していることを特徴とする請求項２に記載のトナー。
【請求項４】
該結着樹脂が、結着樹脂を基準として５乃至４０質量％のテトラヒドロフラン（ＴＨＦ）不溶分を含有していることを特徴とする請求項２又は３に記載のトナー。
【請求項５】
該結着樹脂のテトラヒドロフラン可溶分が、ゲルパーミエーションクロマトグラフィー（ＧＰＣ）測定によるクロマトグラムにおいて、分子量２０００乃至１５０００の領域にメインピークを有していることを特徴とする請求項２乃至４のいずれかに記載のトナー。
【請求項６】
該結着樹脂のテトラヒドロフラン可溶分が、分子量１０万以上１０００万未満の成分を５乃至３０質量％有していることを特徴とする請求項２乃至５のいずれかに記載のトナー。
【請求項７】
該結着樹脂のテトラヒドロフラン可溶分が、分子量５０００以上１０万未満の成分を５０乃至８０質量％有していることを特徴とする請求項２乃至６のいずれかに記載のトナー。
【請求項８】
該結着樹脂のテトラヒドロフラン可溶分が、分子量１０００以上５０００未満の成分を１０乃至３０質量％有していることを特徴とする請求項２乃至７のいずれかに記載のトナー。
【請求項９】
周波数１００ｋＨｚで測定した該トナーの誘電正接（ｔａｎδ）が、１×１０-3乃至３×１０-2であることを特徴とする請求項２乃至８のいずれかに記載のトナー。
【請求項１０】
該結着樹脂が、ポリエステルユニットとビニル系重合体ユニットとを有するハイブリッド樹脂成分を含有する樹脂であることを特徴とする請求項１に記載のトナー。
【請求項１１】
該結着樹脂が、酸価２乃至４０ｍｇＫＯＨ／ｇを有していることを特徴とする請求項１０に記載のトナー。
【請求項１２】
該結着樹脂が、結着樹脂を基準として５乃至４０質量％のテトラヒドロフラン（ＴＨＦ）不溶分を含有していることを特徴とする請求項１０又は１１に記載のトナー。
【請求項１３】
該結着樹脂のテトラヒドロフラン可溶分が、ゲルパーミエーションクロマトグラフィー（ＧＰＣ）測定によるクロマトグラムにおいて、分子量２０００乃至１５０００の領域にメインピークを有していることを特徴とする請求項１０乃至１２のいずれかに記載のトナー。
【請求項１４】
該結着樹脂のテトラヒドロフラン可溶分が、分子量１０万以上１０００万未満の成分を５乃至４０質量％有していることを特徴とする請求項１０乃至１３のいずれかに記載のトナー。
【請求項１５】
該結着樹脂のテトラヒドロフラン可溶分が、分子量５０００以上１０万未満の成分を４０乃至７０質量％有していることを特徴とする請求項１０乃至１４のいずれかに記載のトナー。
【請求項１６】
該結着樹脂のテトラヒドロフラン可溶分が、分子量１０００以上５０００未満の成分を１０乃至３０質量％有していることを特徴とする請求項１０乃至１５のいずれかに記載のトナー。
【請求項１７】
周波数１００ｋＨｚで測定した該トナーの誘電正接（ｔａｎδ）が、１×１０-3乃至３×１０-2であることを特徴とする請求項１０乃至１６のいずれかに記載のトナー。
【請求項１８】
該結着樹脂が、ビニル系重合体を主成分とする樹脂であることを特徴とする請求項１に記載のトナー。
【請求項１９】
該結着樹脂が、酸価２乃至３０ｍｇＫＯＨ／ｇを有していることを特徴とする請求項１８に記載のトナー。
【請求項２０】
該結着樹脂が、結着樹脂を基準として３乃至５０質量％のテトラヒドロフラン（ＴＨＦ）不溶分を含有していることを特徴とする請求項１８又は１９に記載のトナー。
【請求項２１】
該結着樹脂のテトラヒドロフラン可溶分が、ゲルパーミエーションクロマトグラフィー（ＧＰＣ）測定によるクロマトグラムにおいて、分子量５０００乃至３万の領域にメインピークを有していることを特徴とする請求項１８乃至２０のいずれかに記載のトナー。
【請求項２２】
該結着樹脂のテトラヒドロフラン可溶分が、分子量２０万乃至１５０万の領域にサブピーク及び／又はショルダーを少なくとも１つ有していることを特徴とする請求項１８乃至２１のいずれかに記載のトナー。
【請求項２３】
周波数１００ｋＨｚで測定した該トナーの誘電正接（ｔａｎδ）が、１×１０-3乃至３×１０-2であることを特徴とする請求項１８乃至２２のいずれかに記載のトナー。
【請求項２４】
水に対する接触角が１０５乃至１３０度であることを特徴とする請求項１乃至２３のいずれかに記載のトナー。
【請求項２５】
該有機アルミニウム化合物の含有量が、０．１乃至５質量％であることを特徴とする請求項１乃至２４のいずれかに記載のトナー。
【請求項２６】
該有機アルミニウム化合物が、式（１）で表されるベンジル酸を２分子配位したアルミニウム錯体及び／又は錯塩であることを特徴とする請求項１乃至２５のいずれかに記載のトナー。
【請求項２７】
該有機アルミニウム化合物が、式（１）で表されるベンジル酸を３分子配位したアルミニウム錯体及び／又は錯塩であることを特徴とする請求項１乃至２５のいずれかに記載のトナー。
【請求項２８】
該有機アルミニウム化合物が、式（１）で表されるベンジル酸を２又は３分子配位したアルミニウム錯体及び／又は錯塩の混合物であることを特徴とする請求項１乃至２５のいずれかに記載のトナー。
【請求項２９】
該ワックスが、ゲルパーミエーションクロマトグラフィー（ＧＰＣ）測定によるクロマトグラムにおいて、分子量５００乃至２万の領域にメインピークを有するワックスであることを特徴とする請求項１乃至２８のいずれかに記載のトナー。
【請求項３０】
該ワックスは、重量平均分子量（Ｍｗ）と数平均分子量（Ｍｎ）との比（Ｍｗ／Ｍｎ）が１．０乃至２０であることを特徴とする請求項１乃至２９のいずれかに記載のトナー。
【請求項３１】
該ワックスが、ゲルパーミエーションクロマトグラフィー（ＧＰＣ）測定によるクロマトグラムにおいて、分子量６００乃至１５０００の領域にメインピークを有し、重量平均分子量（Ｍｗ）と数平均分子量（Ｍｎ）との比（Ｍｗ／Ｍｎ）が１．１乃至１８であることを特徴とする請求項１乃至２８のいずれかに記載のトナー。
【請求項３２】
該ワックスが、ゲルパーミエーションクロマトグラフィー（ＧＰＣ）測定によるクロマトグラムにおいて、分子量７００乃至１万の領域にメインピークを有し、重量平均分子量（Ｍｗ）と数平均分子量（Ｍｎ）との比（Ｍｗ／Ｍｎ）が１．２乃至１０であることを特徴とする請求項１乃至２８のいずれかに記載のトナー。
【請求項３３】
該ワックスが、示差走査熱量計（ＤＳＣ）で測定されるＤＳＣ曲線において、４０乃至１４０℃の領域に吸熱メインピークを有することを特徴とする請求項１乃至３２のいずれかに記載のトナー。
【請求項３４】
該ワックスが、示差走査熱量計（ＤＳＣ）で測定されるＤＳＣ曲線において、７０乃至１４０℃の領域に吸熱メインピークを有することを特徴とする請求項１乃至３２のいずれかに記載のトナー。
【請求項３５】
該ワックスが、炭化水素系ワックス、ポリエチレン系ワックス或いはポリプロピレン系ワックスであることを特徴とする請求項１乃至３４のいずれかに記載のトナー。
【請求項３６】
該ワックスが、２種以上の異なる種類のワックスを含有していることを特徴とする請求項１乃至３５のいずれかに記載のトナー。
【請求項３７】
該ワックスが、下記式（２）で表されるワックスを含有し
ていることを特徴とする請求項１乃至３４のいずれかに記載のトナー。
【化２】
2002049177.tif 000002
（式中、Ａは水酸基またはカルボキシル基を表し、ａは２０乃至６０の整数を表す。）
【請求項３８】
該ワックスが、１乃至２０ｍｇＫＯＨ／ｇの酸価を有する酸変性ポリエチレンを含有していることを特徴とする請求項１乃至３４のいずれかに記載のトナー。
【請求項３９】
該ワックスが、１乃至２０ｍｇＫＯＨ／ｇの酸価を有する酸変性ポリプロピレンを含有していることを特徴とする請求項１乃至３４のいずれかに記載のトナー。
【請求項４０】
該ワックスが、結着樹脂製造時に添加されていることを特徴とする請求項１乃至３９のいずれかに記載のトナー。
【請求項４１】
該トナーの重量平均粒径が、２．５乃至１０μｍであることを特徴とする請求項１乃至４０のいずれかに記載のトナー。
【請求項４２】
静電荷像を担持するための像担持体を帯電する帯電工程；
帯電された像担持体に露光によって静電荷像を形成する露光工程；
該静電荷像をトナー担持体の表面に担持されているトナーによって現像し、トナー像を形成する現像工程；
該像担持体の表面に形成されたトナー像を、中間転写体を介して又は介さずに転写材に転写する転写工程；及び
該転写材上に転写されたトナー像を転写材に定着する定着工程を少なくとも有している画像形成方法であって、
該トナーが、少なくとも結着樹脂、着色剤、ワックス及び有機アルミニウム化合物を有しており、
ｉ）該結着樹脂が、酸価１乃至４０ｍｇＫＯＨ／ｇを有しており、
ｉｉ）該結着樹脂が、結着樹脂を基準として２乃至５０質量％のテトラヒドロフラン（ＴＨＦ）不溶分を含有し、
ｉｉｉ）該結着樹脂のテトラヒドロフラン可溶分が、ゲルパーミエーションクロマトグラフィー（ＧＰＣ）測定によるクロマトグラムにおいて、分子量２０００乃至３万の領域にメインピークを有し、
ｉｖ）該有機アルミニウム化合物が、下記式（１）で表される未置換又は置換基を有するベンジル酸のアルミニウム化合物であることを特徴とする画像形成方法。
【化３】
2002049177.tif 000003
（式中、Ｒ1とＲ2は同一であっても異なっていても良く、各々、直鎖または分岐したアルキル基、アルケニル基、アルコキシ基、ハロゲン原子、ニトロ基、シアノ基、アミノ基、カルボキシル基及び水酸基からなるグループより選ばれる置換基を示し、ｍ及びｎは０乃至５の整数を示す。）
【請求項４３】
現像工程において、該トナー担持体に交番バイアス電圧が印加されていることを特徴とする請求項４２に記載の画像形成方法。
【請求項４４】
現像工程において、該トナー担持体に直流電圧成分が重畳された交番バイアス電圧が印加されていることを特徴とする請求項４２に記載の画像形成方法。
【請求項４５】
静電荷像を担持するための像担持体を帯電する帯電工程；
帯電された像担持体に露光によって静電荷像を形成する露光工程；
該静電荷像をトナー担持体の表面に担持されているトナーによって現像し、トナー像を形成する現像工程；
該像担持体の表面に形成されたトナー像を、中間転写体を介して又は介さずに転写材に転写する転写工程；及び
該転写材上に転写されたトナー像を転写材に定着する定着工程を少なくとも有している画像形成方法であって、
該トナーが、請求項２乃至４１のいずれかに記載されたトナーであることを特徴とする画像形成方法。